(57)【要約】【課題】  紙や他の物件の挿入が簡単で、また、より簡単な構造で最も良い実用性と便利性が実現される治具を提供する。【解決手段】  主として、シャーシーと、上蓋と、二つの保持部品とから組み立てられ、二つの保持部品は、上部が、上蓋に予めに設置された貫通穴に貫通するように、底部に位置する互いにずれている蝶番に結合ボルトが貫設されることにより、上蓋の貫通穴から露出し、二つの保持部品同士の間に、更に、スプリングが挟まれて設置されるために、対向するピン柱が設けられ、当該スプリングにより、当該二つの保持部品に適当な開き挟み機能が得られ、また、自動的に保持する機能が実現され、また、当該シャーシーの中心位置に、治具に、治具を固定する磁気吸引方式や粘着方式或いは吸着公式等の底盤が結合されるための貫通穴が設けられる。【選択図】図３
0003117080.tif 000002
【実用新案登録請求の範囲】
【請求項１】
楕円形状の盤であり、その外径が上蓋の内径とやや同じで、周縁に複数の係止ブロックが形成され、上蓋と一体化でき、また、中心部位に、別に作製された底盤が挿入結合されるための貫通穴が設けられるシャーシーと、
形状が当該シャーシーに合わせ、Ｓの内径が、当該シャーシーの外径とやや同じで、その内壁に複数の係止槽が設けられ、当該シャーシーの係止ブロックとにより、安定的に結合することができ、また、頂面に、適当な大きさの円形貫通穴が形成され、当該貫通穴から、当該二つの保持部品の上半部が露出し、また、側辺において、貫通穴の直径に対応する部位に、一対のボルト穴が貫設され、当該結合ボルトがボルト穴に貫設されることにより、当該二つの保持部品と軸設される上蓋と、やや１／４の球面のブロック体であり、対向する保持面に、適当な傾斜面と保持リブが設けられ、また、底部に、互いにずれているように、蝶番が設けられ、当該結合ボルトが、当該上蓋のボルト穴と当該二つの保持部品の蝶番とに貫設されることにより、組立てが完成され、また、二つの蝶番は、底部が、後ろへ伸ばして、やや後端の位置に、スプリングの両端が挿入結合されるための対向するピン柱が形成され、当該スプリングが、挟まれるように設置されることにより、必要とする開き挟み機能が得られる二つの保持部品とが含有され、
上記の構造により、当該二つの保持部品の傾斜面と当該スプリングにより、開き挟み機能が実現され、紙や他の物件を挿入することが簡単で、保持機能を有する、ことを特徴とする治具。
【請求項２】
当該シャーシーと当該上蓋の形状は、互いに合わせるような円盤形状の設計である、ことを特徴とする請求項１に記載の治具。
【請求項３】
当該シャーシーに結合される底盤は、底部に磁石や粘着シート或いは吸盤が結合されることにより、治具を簡単に固定する機能を与える、ことを特徴とする請求項１に記載の治具。
【考案の詳細な説明】
【技術分野】
【０００１】
本考案は、治具の構造設計に関し、主として、シャーシーと、上蓋と、二つの保持部品とから組み立てられ、二つの保持部品の間に挟まれるスプリングにより、適当な開き挟みの余裕を持たせ、これにより、紙や物件が容易に挿入され、そして、自動保持機能があるため、簡素化である構造で、良い実用性と便利性が得られる。
【背景技術】
【０００２】
一般の、便箋や名刺等の物件を保持するための治具は、一時的に保持する機能であるため、何時でも、紙が取り出されるか挿入されるかが行われ、そのため、取り出しや保持の便利性が、より重要視されて、機能上の主な訴求になる。
【特許文献１】米特許第５,５４４,３９６号
【考案の開示】
【考案が解決しようとする課題】
【０００３】
本考案の主な目的は、最も簡単な構造で、最も良い実用性と便利性が得られる治具を提供する。
【０００４】
本考案の他の目的は、磁気吸引方式や粘着方式或いは吸着公式等の底盤が結合されることにより、異なる場所に固定設置できる治具を提供する
【課題を解決するための手段】
【０００５】
主として、シャーシーと、上蓋と、二つの保持部品とから組み立てられ、二つの保持部品は、上部が、上蓋に予めに設置された貫通穴に貫通するように、底部に位置する互いにずれている蝶番に結合ボルトが貫設されることにより、上蓋の貫通穴から露出し、二つの保持部品同士の間に、更に、スプリングが挟まれて設置されるために、対向するピン柱が設けられ、当該スプリングにより、当該二つの保持部品に適当な開き挟み機能が得られ、そして、紙や他の物件の挿入が簡単で、また、自動的に保持する機能が実現され、また、当該シャーシーの中心位置に、治具に、治具を固定する磁気吸引方式や粘着方式或いは吸着公式等の底盤が結合されるための貫通穴が設けられ、これにより、より簡単な構造で最も良い実用性と便利性が実現される。
【考案を実施するための最良の形態】
【０００６】
図２は、構造外観の概念図で、図３は、構造分解の概念図であり、図のように、本考案は、シャーシー（１０）と、上蓋（２０）と、二つの保持部品（３０）（４０）とからなり、
当該シャーシー（１０）は、楕円形状の盤（円形状でもいい）であり、その外径が、上蓋（２０）の内径やや同じであり、その周縁に形成される複数の係止ブロック（１１）により、シャーシー（１０）と上蓋（２０）が一体化され、また、シャーシー（１０）の中心部に、貫通穴（１２）が設けられ、当該貫通穴（１２）により、別に作製される底盤（５０）が挿入結合され、当該底盤（５０）の底部に、磁石（５１）が結合されるか粘着シート（５２）が粘着されるか或いは吸盤（５３）の形態に作製されるかにより、異なる方式の固定機能が与えられ、
当該上蓋（２０）は、その形状が、シャーシー（１０）に合わせ、その内径が、シャーシー（１０）の外径とやや同じで、その内壁に複数の係止槽（２１）が設けられ、当該係止槽（２１）と当該シャーシー（１０）の当該係止ブロック（１１）とにより、安定的に当該シャーシー（１０）と当該上蓋（２０）とを結合することができ、また、当該上蓋（２０）の頂面に、適当な大きさの円形貫通穴（２２）が形成され、当該貫通穴（２２）から、二つの保持部品（３０）（４０）の上半部が露出し、また、上蓋（２０）の側辺において、貫通穴（２０）の直径に対応する部位に、一対のボルト穴（２３）が貫設され、当該結合ボルト（２４）がボルト穴（２３）に貫設されることにより、当該上蓋（２０）と当該二つの保持部品（３０）（４０）が軸設され、
当該二つの保持部品（３０）（４０）は、それぞれ、やや１／４の球面のブロック体であり、当該二つの保持部品（３０）（４０）の対向する保持面に、適当な傾斜面（３１）（４１）と保持リブ（３２）（４２）が設けられ、また、当該二つの保持部品（３０）（４０）の底部に、互いにずれる様に、蝶番（３３）（４３）が設けられ、当該結合ボルト（２４）が、当該上蓋（２０）の当該ボルト穴（２３）と当該二つの保持部品（３０）（４０）の蝶番（３３）（４３）とに貫設されることにより、組立てが完成され、また、当該二つの保持部品（３０）（４０）の当該二つの蝶番（３３）（４３）は、底部が後ろへ伸ばして、やや後端の位置に、対向するスプリング（６０）の両端を挿入結合するためのピン柱（３４）（４４）が形成され、更に、スプリング（６０）を、当該二つの保持部品（３０）（４０）同士に挟まれるように設置し、当該スプリング（６０）により、当該二つの保持部品（３０）（４０）に稼働的な開き挟み機能が与えられ、
上記の構造により、組み立てる時、単一の結合ボルト（２４）で二つの保持部品（３０）（４０）と上蓋（２０）との組み立てができ、そして、スプリング（６０）を二つの保持部品（３０）（４０）の間に挟んで設置することにより、全体の組立てがより簡単であり、また、組成部品の簡素化ができるため、より簡単な構造で、最も良い実用性と便利性が得られる。
【０００７】
そして、図４、５の構造概念図を参照しながら、上記の構造により、本考案の治具が紙を保持しない状態で、当該スプリング（６０）の付勢により、当該二つの保持部品（３０）（４０）の上部を、挟み合う形態に保持し、この時、両者の保持リブ（３２）（４２）が接触するように保持し（図４のように）、紙（１）や他の物件を保持する場合、当該二つの保持部品（３０）（４０）の傾斜面（３１）（４１）を設置することにより、紙（１）がスムーズに挿入され、そして、当該スプリング（６０）による当該二つの保持部品（３０）（４０）の開き挟み機能により、当該二つの保持部品（３０）（４０）が開くようになり、紙（１）が挿入された後、当該スプリング（６０）の付勢により、当該二つの保持部品（３０）（４０）が推されて、当該二つの保持部品（３０）（４０）の保持リブ（３２）（４２）により紙（１）を保持する効果が得られ（図５のように）、これにより、紙（１）が挟まれる時、良い定位効果が得られ、また、紙（１）を取り外す時も、非常に簡単であるため、最も良い実用性と便利性が得られる。
【図面の簡単な説明】
【０００８】
【図１】米特許第５,５４４,３９６号に披露される治具の外観図
【図２】本考案に係わる治具の構造外観の概念図
【図３】本考案に係わる治具の構造分解の概念図
【図４】本考案に係わる治具が紙を保持しない状態での構造概念図
【図５】本考案に係わる治具が紙を保持する状態での構造概念図
【符号の説明】
【０００９】
（１）紙
（１０）シャーシー
（１１）係止ブロック
（１２）貫通穴
（２０）上蓋
（２１）係止槽
（２２）貫通穴
（２３）ボルト穴
（２４）結合ボルト
（３０）（４０）保持部品
（３１）（４１）傾斜面
（３２）（４２）保持リブ
（３３）（４３）蝶番
（３４）（４４）ピン柱
（５０）底盤
（５１）磁石
（５２）粘着シート
（５３）吸盤
（６０）スプリング
【図１】
0003117080.tif 000003
【図２】
0003117080.tif 000004
【図３】
0003117080.tif 000005
【図４】
0003117080.tif 000006
【図５】
0003117080.tif 000007